(57)【要約】【課題】  心血管健康ウェアラブルデバイスを提供する。【解決手段】  心血管健康ウェアラブルデバイス１は使用者の皮膚に密着し、使用者の生理信号を測定する。心血管健康ウェアラブルデバイス１は定位槽１１０、探知測定部２を有する。定位槽１１０は心血管健康ウェアラブルデバイス１の片側に設置される。探知測定部２は定位槽１１０に対応する位置上に設置される。使用者の一部の指を定位槽１１０に置き、しかも探知測定部２に密着させることで、探知測定部２は生理信号を測定する。本考案により使用者は心拍、不整脈、血管弾性分析、血管狭窄或いは詰まり分析、心房細動、早発性心房心室收縮、或いは房室ブロック等を測定し分析することができる。【選択図】  図１
0003214564.tif 000002
【実用新案登録請求の範囲】
【請求項１】
心血管健康ウェアラブルデバイスであって、使用者の皮膚に密着し、前記使用者の生理信号を測定し、前記心血管健康ウェアラブルデバイスは、定位槽、探知測定部を有し、
前記定位槽は、前記心血管健康ウェアラブルデバイスの片側に設置され、
前記探知測定部は、前記定位槽に対応する位置上に設置され、
前記使用者の一部の指を前記定位槽に置き、しかも前記探知測定部に密着させることで、前記探知測定部は前記生理信号を測定することを特徴とする心血管健康ウェアラブルデバイス。
【請求項２】
前記心血管健康ウェアラブルデバイスは、外側、内側をさらに有し、
前記定位槽は、前記外側に設置され、前記内側と前記外側は相互に連接し、しかも前記外側内に位置し、前記内側は、前記皮膚に密着することを特徴とする請求項１に記載の心血管健康ウェアラブルデバイス。
【請求項３】
前記探知測定部は、心拍、血圧、血中酸素飽和度（ＳＰＯ２）、血管弾性、血流速、血糖及び血中脂質における生理学的エネルギー消費の内の少なくとも１個の生理信号を測定し、しかも前記探知測定部は、心電図記録技術（Ｅｌｅｃｔｒｏｃａｒｄｉｏｇｒａｐｈｙ、ＥＣＧ或いはＥＫＧ）と光電式容積脈波記録法（Ｐｈｏｔｏｐｌｅｔｈｙｓｍｏｇｒａｐｈ、ＰＰＧ）を利用し、血管弾性及び心電図を産することを特徴とする請求項１に記載の心血管健康ウェアラブルデバイス。
【請求項４】
前記定位槽は、両端を有し、一端は封鎖構造で、もう一端は開口構造であることを特徴とする請求項１或いは２或いは３に記載の心血管健康ウェアラブルデバイス。
【請求項５】
前記定位槽は、両端を有し、両端ともに封鎖構造で、或いは両端ともに開口構造である
ことを特徴とする請求項１或いは２或いは３に記載の心血管健康ウェアラブルデバイス。
【請求項６】
前記心血管健康ウェアラブルデバイスは、扁平構造であることを特徴とする請求項１或いは２或いは３に記載の心血管健康ウェアラブルデバイス。
【請求項７】
前記外側には、体温センサー或いは電子ハンドセットをさらに設置し、
前記体温センサーは、前記使用者の体温を測定し、
前記電子ハンドセットは、心音を記録することを特徴とする請求項１或いは２或いは３に記載の心血管健康ウェアラブルデバイス。
【請求項８】
前記定位槽の幅は、前記使用者の指幅に対応することを特徴とする請求項１或いは２或いは３に記載の心血管健康ウェアラブルデバイス。
【請求項９】
前記探知測定部は、第一電極、センサー及び第二電極を有し、
前記第一電極は、前記定位槽上に設置され、
前記センサーは、前記第一電極上に設置され、前記センサーは、前記第一電極と連接し、
前記第二電極は、前記心血管健康ウェアラブルデバイスの反対側に設置され、前記使用者の皮膚に密着し、前記センサーと連結し、
前記使用者の一部の指を前記定位槽に置き、しかも前記センサー及び前記第一電極に密着させることで、前記第二電極は前記皮膚に密着し、前記センサーは前記生理信号を測定することを特徴とする請求項１或いは２或いは３に記載の心血管健康ウェアラブルデバイス。
【請求項１０】
前記第一電極及び前記第二電極は、導電材質であることを特徴とする請求項９に記載の心血管健康ウェアラブルデバイス。
【考案の詳細な説明】
【技術分野】
【０００１】
本考案は心血管健康ウェアラブルデバイスに関し、特に位置合わせ機能を有する人体工学に符合した設計で、しかも遮光効果を備える心血管健康ウェアラブルデバイスに関する。
【背景技術】
【０００２】
末梢動脈閉塞症（ＰＡＯＤ）の最も多い原因は、動脈硬化であり、手足の動脈の狭窄或いは詰まりを引き起こす。
特に下肢に発生し、血行不良を引き起こす。
糖尿病の患者では特に起きやすく、下肢の傷口は癒合しにくく、感染、敗血症を招き、台湾では毎年数千人が下肢切断という辛い結果に陥っている。
血管の病変に対して早期に検査を行い、早期に発現し、早期に治療に入ることのみが、身体に残る障害と致死率を下げることができる。
【０００３】
動脈硬化及び血管の詰まりを検査する非侵襲性スクリーニングは、迅速で非侵襲性の検査を用い、血液検査が不要で放射線も用いないため、被検者は何の苦痛も感じず、また操作は簡便で五分ですべての検査が完了し結果を得ることができ、血管硬化と血管詰まりの進行度合いを効果的に知ることができる。
【０００４】
ＡＢＩは、末梢動脈硬化が引き起こす下肢動脈狭窄、詰まりにより判断する指標である。
手足の血圧を同期に測定し、次に足首收縮圧を上腕收縮圧で割り結果を出す。
通常健康な人の足首の血圧は、上腕の血圧より高い。
米国心臓学会が１９９３年にＡＢＩに設定した検査標準の正常値は０．９〜１．３である。
もし、脚部動脈において、脂肪等の粘着性物質の堆積により血液の状況が悪くなっていれば、足首の血圧は、上腕の血圧より低いため、ＡＢＩ数値は低くなる。
ＡＢＩが０．９未満なら、被検者の動脈には詰まりの状況がある可能性がある。
ＡＢＩが０．８未満なら、動脈詰まりの状況がある可能性が高い。
ＡＢＩが０．５〜０．８なら、被検者には一箇所以上の詰まりがあり、０．５未満なら、被検者には多数の箇所に動脈詰まりの状況が存在する。
【０００５】
よって、肥満、高血圧、糖尿病、高血脂症等動脈硬化の危険性が高い患者は、非侵襲性動脈硬化及び血管詰まりのスクリーニングを早期に受け、予防と早期治療につなげていくべきである。
【０００６】
しかし、一般の人が自身の身体状況を知ろうとすれば、血圧計等の生理測定器で知る必要があるが、上述の測定器は高価で、しかも嵩張るため携帯が難しく、外出時の使用には不便である。
【０００７】
上述の問題を解決するため開発された、特許文献１に開示するスマートブレスレットは、使用者が身につけられるものである。
スマートブレスレットは、本体及び美容皮膚保護層を有する。
本体は、生理測定ユニット、メモリユニット、無線発信ユニット、ＧＰＳユニット、ディスプレイ及び臭気モジュールを有する。
特許文献１に開示するスマートブレスレットにより、あらゆる人が随時ディスプレイによって確実に使用者の健康状態を把握でき、突発的な状況の発生を防止することができる。
しかも、ＧＰＳユニットにより、介護者は使用者の正確な位置を直ちに知ることができ、警察などに通知して使用者を保護することができる。
また、特許文献１は使用者にリフレッシュや睡眠導入を提供する機能、及び着用位置の皮膚を潤わせ、着用箇所の皮膚の快適性を高める効果も有する。
【０００８】
特許文献２に開示するスマートウォッチの組合せ構造は、腕時計本体を有し、内部には時間カウントとモバイル通信機能を備えるＣＰＵを設置する。
ＣＰＵは電池、充電／伝送インターフェース、ディスプレイ、スイッチボタン、連接ポート、マイク、スピーカー、カメラレンズ、ＧＰＳシステム、時間表示独立電源、及び無線送受信ユニットに連接する。
ウェアラブル構造は、腕時計ベルト、ネックレス、リストバンド、ブレスレット、腕カバー等で、手や腕に固定して着用して使用する。
しかも、腕時計本体は連接ポートにより、運動ブレスレット或いは生理モニター装置と連結し、それが記録した運動、生理モニター数値データを表示する。
また、腕時計本体に結合する挟持台を対応させて、両端に設置する結合部により既存の腕時計ベルトに結合し使用することができる。
こうして、多様な構造の組合により、消費者に様々な装着方法を提供し使用の利便性を図ることができ、多重使用の進歩性を備える。
【０００９】
しかし、上述の生理測定機能を備えるブレスレット或いは腕時計には、位置合わせ機能がないため、測定錯誤が起きる恐れがある。
また、全体設計は、人体工学的な設計を欠いており、使用者の測定に不便で、しかも測定時には遮光効果を備えないため、測定上の誤差を生じやすい。
【００１０】
よって、位置合わせ機能を有する人体工学に符合した設計で、しかも遮光効果を備える心血管健康ウェアラブルデバイスをいかにして設計するかは、メーカーや研究開発人員の共通の努力目標である。
【００１１】
本考案人は、従来の技術が、位置合わせ機能を提供しないことで生じる測定錯誤と、全体設計が人体工学に符合した設計を欠くため使用者の測定に不便で、しかも測定時には遮光効果を備えないことで測定上の誤差を生じやすいという欠点に鑑み、本考案の開発にこぎつけた。
【先行技術文献】
【特許文献】
【００１２】
【特許文献１】中華民国公告第Ｉ４３８７２３号明細書
【特許文献２】中華民国公告第Ｍ４８８６６０号明細書
【考案の概要】
【考案が解決しようとする課題】
【００１３】
前記先行技術には、位置合わせ機能を提供しないことで測定錯誤を生じ、全体設計が人体工学に符合した設計を欠くため使用者の測定に不便で、測定時には遮光効果を備えないことで測定上の誤差を生じやすいという欠点がある。
【課題を解決するための手段】
【００１４】
本考案は位置合わせ機能を有する人体工学に符合した設計で、しかも遮光効果を備える心血管健康ウェアラブルデバイスに関する。
【００１５】
本考案による心血管健康ウェアラブルデバイスは、使用者の皮膚に密着し、該使用者の生理信号を測定する。
該心血管健康ウェアラブルデバイスは、定位槽、探知測定部を有する。
【００１６】
該定位槽は、該心血管健康ウェアラブルデバイスの片側に設置される。
【００１７】
該探知測定部は、該定位槽に対応する位置上に設置される。
【００１８】
該使用者の一部の指を該定位槽に置き、しかも該探知測定部に密着させることで、該探知測定部は該生理信号を測定する。
【００１９】
上述の構造を通して、本考案は位置合わせ機能の定位槽を有し、全体構造が人体工学設計に符合し、しかも遮光効果を備える。
【図面の簡単な説明】
【００２０】
【図１】本考案の心血管健康ウェアラブルデバイスの模式図である。
【図２】本考案の心血管健康ウェアラブルデバイスの内側模式図である。
【図３】本考案の心血管健康ウェアラブルデバイスの別種の実施形態の模式図である。
【図４】本考案の心血管健康ウェアラブルデバイスのさらに別種の実施形態の模式図である。
【図５】本考案の心血管健康ウェアラブルデバイスのまたさらに別種の実施形態の模式図である。
【考案を実施するための形態】
【００２１】
（一実施形態）
図１に示す通り、本考案の心血管健康ウェアラブルデバイス１は、使用者の皮膚に密着し、使用者の生理信号を測定する。
心血管健康ウェアラブルデバイス１は、定位槽１１０、探知測定部２を有する。
本考案の実施形態中において、本考案の心血管健康ウェアラブルデバイス１全体は、細長い扁平構造である。
【００２２】
定位槽１１０は、心血管健康ウェアラブルデバイス１の片側に設置される。
【００２３】
探知測定部２は、定位槽１１０に対応する位置上に設置される。
【００２４】
使用者が本考案による心血管健康ウェアラブルデバイス１を装着した後、使用者は一部の指を定位槽に置き、しかも使用者が本考案の心血管健康ウェアラブルデバイス１を装着することで、使用者の皮膚は探知測定部２に密着し、こうして探知測定部２は使用者の生理信号を測定する。
【００２５】
本考案の一実施形態中において、探知測定部２は、心電図記録技術（Ｅｌｅｃｔｒｏｃａｒｄｉｏｇｒａｐｈｙ、ＥＣＧ或いはＥＫＧ）と光電式容積脈波記録法（Ｐｈｏｔｏｐｌｅｔｈｙｓｍｏｇｒａｐｈ、ＰＰＧ）を利用し、血管弾性及び心電図を産する。
【００２６】
さらに、心拍の度に心筋細胞が極化する時、皮膚表面では非常に小さい電気的変化が起きる。
この小さな変化は、心電図記録装置に捉えられ、拡大され、心電図記録技術により心電図が描かれる。
【００２７】
血管中血液容積の変化は、ＰＰＧ信号により表示される。
特定波長の光が指に照射されると、光電受信器は反射或いは透射の光を受信する。
受信した光の強弱は、指端血液成分の、光吸收の多寡を反映しており、光電パルス波中の交流成分を表記し、こうしてＰＰＧ信号を得ることができる。
【００２８】
本考案の一実施形態中において、本考案の心血管健康ウェアラブルデバイス１は、外側１１、内側１０をさらに有する。
定位槽１１０は、外側１１に設置され、内側１０と外側１１は相互に連接し、しかも外側１１内に位置し、内側１０は、皮膚に密着する。
【００２９】
図１及び図２に示す通り、本考案の実施形態中において、探知測定部２は、第一電極１２、センサー１３及び第二電極１４を有する。
第一電極１２は、定位槽１１０上に設置され、センサー１３は、第一電極１２上に設置される。
センサー１３は、第一電極１２と連接し、第二電極１４は、心血管健康ウェアラブルデバイス１の反対側に設置される。
本考案の実施形態中において、第二電極１４は、内側１０に設置され、使用者の皮膚に密着し、センサー１３と連結する。
【００３０】
使用者の一部の指を定位槽１１０に置き、しかもセンサー１３及び第一電極１２に密着させることで、第二電極１４は皮膚に密着し、センサー１３は生理信号を測定する。
【００３１】
内部へと窪んだ定位槽１１０により、使用者の指は確実に探知測定部２と接触し、正確に定位することができる。
従来の技術に比べ、本考案は使用者の指が、探知測定部２と確実な接触をしないという状況を回避できるため、より精確な測定結果を得ることができる。
【００３２】
本考案の一実施形態中において、探知測定部２は、心拍、血圧、血中酸素飽和度（ＳＰＯ２）、血管弾性、血流速、血糖及び血中脂質における生理学的エネルギー消費のうちの少なくとも１個の生理信号を測定できる。
そのうち、生理学的エネルギー消費は、ここでは、生理活動で生じるエネルギー消費を言う。
【００３３】
本考案の別種の実施形態中において、第一電極１２及び第二電極１４は、導電材質で、金、銀、銅、鉄、アルミニウム、スズ、マンガン、亜鉛或いは上記金属の任意の合金である。
【００３４】
本考案のさらに別種の実施形態中において、定位槽１１０は、両端を有し、一端は封鎖構造で、もう一端は開口構造である。
【００３５】
本考案のまたさらに別種の実施形態中において、定位槽１１０は、両端を有し、両端ともに封鎖構造である。
【００３６】
本考案の別種の実施形態中において、定位槽１１０は、両端を有し、両端ともに開口構造である。
【００３７】
本考案のさらに別種の実施形態中において、心血管健康ウェアラブルデバイス１は、扁平構造である。
【００３８】
本考案の一実施形態中において、本考案の心血管健康ウェアラブルデバイス１は、腕時計型であるため、本考案の心血管健康ウェアラブルデバイス１は、使用者の装着する腕部位に快適に密着するが、これに限定されない。
本考案の心血管健康ウェアラブルデバイス１は、他の装着式装置とでき、ネックレス、ブレスレット或いはアンクレット等の皮膚と接触の装置でもよく、これにより使用者は装着できる。
【００３９】
図３に示す通り、本考案の別種の実施形態中において、外側１１には、体温センサー１１１をさらに設置し、使用者の体温を測定する。
よって、本考案の心血管健康ウェアラブルデバイス１が、腕時計型或いはブレスレット型である時、使用者は、本考案の心血管健康ウェアラブルデバイス１の体温センサー１１１を額に合わせ、使用者の体温を測定することができる。
本実施形態中において、体温とは体表温度を言う。
【００４０】
但し本考案は上記に限定されず、本考案のさらに別種の実施形態中において、体温センサー１１１は電子ハンドセット（図示なし）に置換でき、電子ハンドセットは心音を記録する。
【００４１】
本考案の別種の実施形態中において、定位槽１１０の幅は、使用者の指幅に対応する。
よって、使用者が指を定位槽１１０に置くと、使用者の指は定位槽１１０を完全にふさぐため、光線が進入する隙間がなく、光線の漏れを回避でき、遮光効果を備え、こうして測定データをより精確にすることができる。
【００４２】
図４に示す通り、本考案の別種の実施形態中において、本考案の心血管健康ウェアラブルデバイス１は、クリップ型で、心血管健康ウェアラブルデバイス１は同様に、定位槽１１０及び探知測定部２を有する。
定位槽１１０は、心血管健康ウェアラブルデバイス１のクリップ体の向かい合う面上に設置される。
【００４３】
探知測定部２は、定位槽１１０に対応する位置上に設置される。
【００４４】
使用者が本考案による心血管健康ウェアラブルデバイス１を装着した後、使用者は一部の指を定位槽に置き、しかも使用者が本考案の心血管健康ウェアラブルデバイス１を装着することで、使用者の皮膚は探知測定部２に密着し、こうして探知測定部２は使用者の生理信号を測定する。
【００４５】
本考案の別種の実施形態中において、探知測定部２は、第一電極１２、センサー１３及び第二電極１４を有する。
第一電極１２は、定位槽１１０上に設置され、センサー１３は、第一電極１２上に設置される。
センサー１３は、第一電極１２と連接し、第二電極１４は、定位槽１１０を有するクリップ体の底面に設置され、使用者の皮膚に密着し、センサー１３と連結する。
【００４６】
使用者の一部の指を定位槽１１０に置き、しかもセンサー１３及び第一電極１２に密着させることで、第二電極１４は皮膚に密着し、センサー１３は生理信号を測定する。
【００４７】
図５に示す通り、本考案のまたさらに別種の実施形態中において、本考案の心血管健康ウェアラブルデバイス１は、ネックレスのペンダントトップである。
心血管健康ウェアラブルデバイス１は同様に、定位槽１１０及び探知測定部２を有する。
定位槽１１０は、心血管健康ウェアラブルデバイス１の表示面に設置される。
【００４８】
探知測定部２は、定位槽１１０に対応する位置上に設置される。
【００４９】
使用者が本考案による心血管健康ウェアラブルデバイス１を装着した後、使用者は一部の指を定位槽に置き、しかも使用者が本考案の心血管健康ウェアラブルデバイス１を装着することで、使用者の皮膚は探知測定部２に密着し、こうして探知測定部２は使用者の生理信号を測定する。
【００５０】
本考案の別種の実施形態中において、探知測定部２は、第一電極１２、センサー１３及び第二電極１４を有する。
第一電極１２は、定位槽１１０上に設置され、センサー１３は、第一電極１２上に設置される。
センサー１３は、第一電極１２と連接し、第二電極１４は、定位槽１１０を有する表示面の相対背面に設置される。
使用者の皮膚に密着し、センサー１３と連結する。
【００５１】
使用者の一部の指を定位槽１１０に置き、しかもセンサー１３及び第一電極１２に密着させることで、第二電極１４は皮膚に密着し、センサー１３は生理信号を測定する。
【００５２】
本考案の別種の実施形態中において、本考案の心血管健康ウェアラブルデバイス１はさらに使用者の生理信号をクラウドデータベースにアップロードし、リモートエンドのコンピューター或いは医療スタッフにより使用者の生理信号に異常があるかどうかを判断することができる。
使用者の生理信号が異常だと判断されれば、異常情報を使用者のモバイルデバイスに伝送する。
例えば、モバイルデバイスは、使用者のスマートフォンである。
よって、使用者は即時に専門的な個人医療診断情報を得ることができ、これにより早い段階で、医療機構へ行き精密検査或いは治療を行うことができる。
【００５３】
さらに、使用者は本考案の心血管健康ウェアラブルデバイス１を装着し、心電図、血管弾性、血圧、血中酸素、心拍、体温を随時測定し、歩数カウントを行うことができる。
これら有意義な生理情報を、スマートスマートフォンに即時に表示し、また資料を自動的にクラウドデータベースに伝送し、専門のスタッフとシステムにより、測定データを精確に分析し、顧客エンドの資料を病院に送り、後に診察を受ける際に医師の参考に供することができ、また顧客自身が随時クラウドデータベースを通して、自身の健康の変化を知ることができる。
【００５４】
上述の構造を通して、本考案は内部へと窪んだ定位槽により、使用者の指は確実に探知測定部と接触し、測定時に位置合わせが精確となり、より精確な測定結果を得ることができる。
また、全体設計が人体工学に符合し、しかも本考案はさらに使用者の指幅に対応する定位槽により、使用者が指を定位槽に置くと、使用者の指は定位槽を完全にふさぐため、光線が進入する隙間がなく、光線の漏れを回避でき、遮光効果を備える。
さらに、その構造形態は、技術領域に属する人が容易に考えつき及び達成できるものではないため、その新規性と進歩性には疑いはない。
【００５５】
前述した本考案の実施形態は本考案を限定するものではなく、よって、本考案により保護される範囲は後述される実用新案登録請求の範囲を基準とする。
【符号の説明】
【００５６】
１  心血管健康ウェアラブルデバイス、
１０  内側、
１１  外側、
１１０  定位槽、
１１１  体温センサー、
１２  第一電極、
１３  センサー、
１４  第二電極、
２  探知測定部。
【図１】
0003214564.tif 000003
【図２】
0003214564.tif 000004
【図３】
0003214564.tif 000005
【図４】
0003214564.tif 000006
【図５】
0003214564.tif 000007